(57)【要約】【課題】電気二重層キャパシタを有する電池ユニットに対して良好に充放電しつつ、装置サイズを小型化できる蓄電装置を提供する。【解決手段】一対の第１導通部４０（４１、４２）および一対の第２導通部を用いたねじ締結によって、（１）取付部２０に対して第１回路基板３０を固定し、（２）平板電極１１ｂ、１２ｃのそれぞれと、外部端子５０と、を導通させつつ、（３）平板電極１１ｂ、１２ｃのそれぞれと、第１回路基板３０と、を導通させる。【選択図】図４
2019096830.tif 000002
【特許請求の範囲】
【請求項１】
(a) 少なくとも１つの電気二重層キャパシタを有する電池ユニットと、
(b) 前記電池ユニットに含まれる各電気二重層キャパシタを取り付ける取付部と、
(c) 平板状とされており、前記電池ユニットから第１出力端子を介して外部に供給される電力を制御する第１回路基板と、
(d) 前記電池ユニットに設けられた一対の平板電極と、前記第１回路基板上に形成されたプラス側およびマイナス側の接続部のうちの対応するものと、をそれぞれ電気的に接続する一対の第１導通部と、
(e) 外部機器および前記電池ユニットを電気的に接続し、
(e-1) 各々が、前記外部機器のプラス側およびマイナス側接続端子のいずれかと電気的に接続可能とされた一対の接続金具と、
(e-2) 各々が、対応する接続金具と電気的に接続された一対の第２導通部と、
(e-3) 各々が、少なくとも対応する接続金具を覆うことによって、前記一対の接続金具および前記一対の第２導通部のうちの対応するものと、前記第１回路基板と、を絶縁する一対のカバー部と、
を有する外部端子と、
を備え、
前記取付部は、
(b-1) 前記第１回路基板に沿って配置されており、前記一対の平板電極のそれぞれと、前記第１回路基板と、を離隔する第１仕切板と、
を有し、
前記一対の第１導通部のそれぞれは、
(d-1) 頭部と、
(d-2) 前記頭部の平坦面から突出する棒状の第１挿入部と、
(d-3) 前記第１挿入部の外周に形成された第１雄ねじと、ねじ締結可能とされた第１押圧部と、
を有し、
前記一対の第２導通部のそれぞれは、
棒状の第２挿入部と、
前記第２挿入部の外周に形成された第２雄ねじと、ねじ締結可能とされた第２押圧部と、
を有し、
各平板電極は、前記第１仕切板に沿って配置された対向部を有しており、
前記第１挿入部が、前記第１回路基板に形成された第１貫通孔と、前記第１仕切板に形成された第２貫通孔と、対応する平板電極の対向部に形成された第３貫通孔と、に挿入されつつ  前記第１挿入部および第１押圧部がねじ締結され、前記頭部および前記第１押圧部の間に前記第１回路基板と、前記第１仕切板と、対応する平板電極の対向部と、が挟み込まれることによって、
(i) 各第１導通部と対応する平板電極との間の接触抵抗、および各第１導通部と対応する接続部との間の接触抵抗、のそれぞれが低下させられるとともに、
前記カバー部が前記第１回路基板に形成された第４貫通孔に挿入され、前記カバー部が前記第１仕切板に突き当てられた上で、前記第２挿入部が、前記第１仕切板に形成された第５貫通孔と、対応する平板電極の対向部に形成された第６貫通孔と、に挿入されつつ  前記第２挿入部および第２押圧部がねじ締結され、前記第１仕切板および前記第２押圧部の間に対応する平板電極の対向部が挟み込まれることによって、
(ii)  各第２導通部と対応する平板電極との間の接触抵抗が低下させられることを特徴とする蓄電装置。
【請求項２】
請求項１に記載の蓄電装置において、
前記第１出力端子は、前記第１回路基板に設けられていることを特徴とする蓄電装置。
【請求項３】
請求項１または請求項２に記載の蓄電装置において、
(f) 前記外部端子を介して前記電池ユニットと電気的に接続された拡張ユニット、
をさらに備え、
前記拡張ユニットは、
(f-1) 各々が、前記外部端子に含まれる一対の接続金具のいずれかと電気的に接続可能とされた一対の接続端子と、
(f-2) 第２出力端子と、
(f-3) 前記電池ユニットから前記外部端子および第２出力端子を介して外部に供給される電力を制御する第２回路基板と、
を有し、
前記電池ユニットから前記外部端子および前記第２出力端子を介して前記拡張ユニットの外部に供給される電力を制御することを特徴とする蓄電装置。
【発明の詳細な説明】
【技術分野】
【０００１】
本発明は、蓄電装置に関する。
【背景技術】
【０００２】
従来、電気二重層キャパシタを備えるキャパシタモジュール（バンク）が知られている（例えば、特許文献１）。
【先行技術文献】
【特許文献】
【０００３】
【特許文献１】特開２０１０−０８７２６８号公報
【発明の概要】
【発明が解決しようとする課題】
【０００４】
しかし、特許文献１のキャパシタモジュールでは、電気二重層キャパシタに隣接して電力制御用の制御部を配置することができない。その結果、特許文献１のキャパシタモジュールでは、装置サイズが大型化するという問題が生ずる。
【０００５】
そこで、本発明では、電気二重層キャパシタを有する電池ユニットに対して良好に充放電しつつ、装置サイズを小型化できる蓄電装置を提供することを目的とする。
【課題を解決するための手段】
【０００６】
上記の課題を解決するため、請求項１の発明は、少なくとも１つの電気二重層キャパシタを有する電池ユニットと、前記電池ユニットに含まれる各電気二重層キャパシタを取り付ける取付部と、平板状とされており、前記電池ユニットから第１出力端子を介して外部に供給される電力を制御する第１回路基板と、前記電池ユニットに設けられた一対の平板電極と、前記第１回路基板上に形成されたプラス側およびマイナス側の接続部のうちの対応するものとをそれぞれ電気的に接続する一対の第１導通部と、外部機器および前記電池ユニットを電気的に接続し、各々が、前記外部機器のプラス側およびマイナス側接続端子のいずれかと電気的に接続可能とされた一対の接続金具と、各々が、対応する接続金具と電気的に接続された一対の第２導通部と、各々が、少なくとも対応する接続金具を覆うことによって、前記一対の接続金具および前記一対の第２導通部のうちの対応するものと、前記第１回路基板とを絶縁する一対のカバー部とを有する外部端子とを備え、前記取付部は、前記第１回路基板に沿って配置されており、前記一対の平板電極のそれぞれと、前記第１回路基板とを離隔する第１仕切板とを有し、前記一対の第１導通部のそれぞれは、頭部と、前記頭部の平坦面から突出する棒状の第１挿入部と、前記第１挿入部の外周に形成された第１雄ねじと、ねじ締結可能とされた第１押圧部とを有し、前記一対の第２導通部のそれぞれは、棒状の第２挿入部と、前記第２挿入部の外周に形成された第２雄ねじと、ねじ締結可能とされた第２押圧部とを有し、各平板電極は、前記第１仕切板に沿って配置された対向部を有しており、前記第１挿入部が、前記第１回路基板に形成された第１貫通孔と、前記第１仕切板に形成された第２貫通孔と、対応する平板電極の対向部に形成された第３貫通孔と、に挿入されつつ前記第１挿入部および第１押圧部がねじ締結され、前記頭部および前記第１押圧部の間に前記第１回路基板と、前記第１仕切板と、対応する平板電極の対向部と、が挟み込まれることによって、各第１導通部と対応する平板電極との間の接触抵抗、および各第１導通部と対応する接続部との間の接触抵抗、のそれぞれが低下させられるとともに、前記カバー部が前記第１回路基板に形成された第４貫通孔に挿入され、前記カバー部が前記第１仕切板に突き当てられた上で、前記第２挿入部が、前記第１仕切板に形成された第５貫通孔と、対応する平板電極の対向部に形成された第６貫通孔と、に挿入されつつ前記第２挿入部および第２押圧部がねじ締結され、前記第１仕切板および前記第２押圧部の間に対応する平板電極の対向部が挟み込まれることによって、各第２導通部と対応する平板電極との間の接触抵抗が低下させられることを特徴とする。
【０００７】
また、請求項２の発明は、請求項１に記載の蓄電装置において、前記第１出力端子は、前記第１回路基板に設けられていることを特徴とする。
【０００８】
また、請求項３の発明は、請求項１または請求項２に記載の蓄電装置において、前記外部端子を介して前記電池ユニットと電気的に接続された拡張ユニット、をさらに備え、前記拡張ユニットは、各々が、前記外部端子に含まれる一対の接続金具のいずれかと電気的に接続可能とされた一対の接続端子と、第２出力端子と、前記電池ユニットから前記外部端子および第２出力端子を介して外部に供給される電力を制御する第２回路基板とを有し、前記電池ユニットから前記外部端子および前記第２出力端子を介して前記拡張ユニットの外部に供給される電力を制御することを特徴とする。
【発明の効果】
【０００９】
請求項１から請求項３の発明によれば、一対の第１導通部および一対の第２導通部を用いたねじ締結によって、
（１）取付部に対して第１回路基板を固定すること、
（２）電池ユニットに設けられた一対の平板電極および外部端子を導通させること、
（３）電池ユニットに設けられた一対の平板電極および第１回路基板を導通させること、
のいずれも実現できる。
【００１０】
すなわち、一対の第１導通部と対応する平板電極との間の接触抵抗、一対の第１導通部と対応する接続部との間の接触抵抗、一対の第２導通部と対応する平板電極との間の接触抵抗、のそれぞれを低下させることができ、良好な導通を確保できる。また、第１回路基板および電気二重層キャパシタを取付部に固定するための部品点数を低減させることができる。
【００１１】
そのため、電池ユニットの充電時のように外部端子および平板電極の間に大電流が流れる場合であっても、接触抵抗に起因した発熱により外部端子および平板電極が破損することを防止しつつ、蓄電装置の部品および製造のためのコストを低減させることができる。
【００１２】
また、取付部の第１仕切板を挟んで一対の平板電極と第１回路基板とを隣接して配置しつつ、一対の平板電極のそれぞれと、第１回路基板と、を導通させることができる。そのため、装置サイズの小型化を図ることができる。
【図面の簡単な説明】
【００１３】
【図１】本発明の第１の実施の形態における蓄電装置の構成の一例を示す正面斜視図である。
【図２】本発明の第１の実施の形態における蓄電装置の構成の一例を示す正面斜視図である。
【図３】取付部付近の構成の一例を示す正面斜視図である。
【図４】取付部付近の構成の一例を示す分解斜視図である。
【図５】取付部付近の構成の一例を示す分解斜視図である。
【図６】第１回路基板付近の構成の一例を示す平面図である。
【図７】取付部付近の構成の一例を示す分解図である。
【図８】取付部付近の構成の一例を示す正面斜視図である。
【図９】取付部付近の構成の一例を示す正面斜視図である。
【図１０】本発明の第２の実施の形態における蓄電装置の構成の一例を示す正面斜視図である。
【図１１】本発明の第２の実施の形態における蓄電装置の構成の一例を示す背面斜視図である。
【図１２】蓄電装置の使用状況を説明するための正面斜視図である。
【図１３】取付部付近の構成の他の一例を示す正面斜視図である。
【図１４】取付部付近の構成の他の一例を示す正面斜視図である。
【発明を実施するための形態】
【００１４】
以下、図面を参照しつつ本発明の実施の形態について詳細に説明する。
【００１５】
＜１．第１の実施の形態＞
＜１．１．蓄電装置の外観構成＞
図１および図２のそれぞれは、本発明の第１の実施の形態における蓄電装置１の構成の一例を示す正面斜視図である。図３は、取付部２０付近の構成の一例を示す正面斜視図である。ここで、蓄電装置１は、停電時においても対象装置に電力を供給できるように、または電力供給源がない屋外でも対象装置を使用できるようにするためのバッテリーである。図１および図２に示すように、蓄電装置１は、外観上、本体部５と、制御部６と、に別れている。
【００１６】
なお、図１および以降の各図には、図面に記載された各構成要素の理解を助けるため、必要に応じて適宜、Ｚ軸方向を鉛直方向とし、ＸＹ平面を水平面とするＸＹＺ直交座標系が、付されている。
【００１７】
本体部５は、外観上、蓋５ａ、５ｂと、取付部２０と、に分離することができる。取付部２０は、図３に示すように、電池ユニット１０に含まれる電気二重層キャパシタを取り付けるために用いられる。すなわち、本体部５から蓋５ａ、５ｂが取り外されると、本体部５に内蔵された電池ユニット１０の電気二重層キャパシタが視認可能となる。なお、電池ユニット１０および取付部２０の詳細については、後述する。
【００１８】
制御部６は、図１から図３に示すように、主として、蓋６ａと、第１回路基板３０と、外部端子５０と、第１出力端子６０と、を有している。図３に示すように、蓋６ａには、外部端子５０および第１出力端子６０を制御部６外部からアクセス可能にするための取付孔が形成されている。
【００１９】
また、制御部６から蓋６ａが取り外されると、制御部６に内蔵された第１回路基板３０が視認可能となる。なお、第１回路基板３０、一対の第１導通部４０（４１、４２）、外部端子５０、および第１出力端子６０の詳細については、後述する。
【００２０】
＜１．２．蓄電装置の詳細構成＞
図４および図５のそれぞれは、取付部２０付近の構成の一例を示す分解斜視図である。図６は、第１回路基板３０付近の構成の一例を示す平面図である。図７は、取付部２０付近の構成の一例を示す分解図である。図８および図９のそれぞれは、取付部２０付近の構成の一例を示す正面斜視図である。なお、図８および図９の相違点は、第１回路基板３０を有するか否かである。
【００２１】
ここで、図３から図９は、蓋５ａ、５ｂ、６ａのそれぞれが蓄電装置１から取り外された状態を示す図である。図３から図９に示すように、蓄電装置１は、主として、電池ユニット１０と、取付部２０と、第１回路基板３０と、一対の第１導通部４０（４１、４２）と、外部端子５０と、を備える。
【００２２】
電池ユニット１０は、複数（本実施の形態では２個）の電気二重層キャパシタ１１、１２を有している。ここで、電気二重層キャパシタ（Electrical Double Layer Capacitor）とは、電気二重層という状態（物理現象）を利用することによって蓄電量が著しく高められたコンデンサ（キャパシタ）を言う。
【００２３】
電気二重層キャパシタ１１は、図３から図５に示すように、主として、蓄電部１１ａと、平板電極１１ｂ、１１ｃと、を有している。蓄電部１１ａは、電荷（電気的エネルギー）を蓄える。蓄電部１１ａの両端には、平板状のプラス側電極およびマイナス側電極として、それぞれ平板電極１１ｂ、１１ｃが設けられている。
【００２４】
また、図４および図５に示すように、平板電極１１ｃ、蓄電部１１ａ、平板電極１１ｂは、この順番で、矢印ＡＲ１方向（以下、単に「配置方向」とも称する）に沿って並んで配置されている。そして、第１仕切板２１側に配置された平板電極１１ｂの対向部１１ｄは、配置方向と交差（より具体的には、垂直に交差）するように設けられている。すなわち、対向部１１ｄは、第１仕切板２１に沿って配置されている。
【００２５】
電気二重層キャパシタ１２は、図３から図５に示すように、主として、蓄電部１２ａと、平板電極１２ｂ、１２ｃと、を有している。蓄電部１２ａは、蓄電部１１ａと同様に、電荷を蓄える。蓄電部１２ａの両端には、平板状のプラス側電極およびマイナス側電極として、それぞれ平板電極１２ｂ、１２ｃが設けられている。
【００２６】
また、図４および図５に示すように、平板電極１２ｂ、蓄電部１２ａ、平板電極１２ｃは、この順番で、配置方向に沿って配置されている。そして、第１仕切板２１側に配置された平板電極１２ｃの対向部１２ｄは、配置方向と交差（より具体的には、垂直に交差）するように設けられている。すなわち、対向部１２ｄは、対向部１１ｄ同様に、第１仕切板２１に沿って配置されている。
【００２７】
取付部２０は、電池ユニット１０に含まれる各電気二重層キャパシタ１１、１２を取り付けるために用いられる。図４および図５に示すように、取付部２０は、第１仕切板２１と、第２仕切板２２と、外枠２３と、を有している。
【００２８】
第１仕切板２１は、図４および図５に示すように、電気二重層キャパシタ１１、１２の配置方向と交差（より具体的には、垂直に交差）するように配置されている。すなわち、第１仕切板２１は、平板電極１１ｂの対向部１１ｄ、平板電極１２ｃの対向部１２ｄ、および第１回路基板３０のそれぞれに沿って配置されるとともに、平板電極１１ｂ、１２ｃのそれぞれと、第１回路基板３０と、を離隔する。
【００２９】
第２仕切板２２は、各電気二重層キャパシタ１１、１２を仕切る板体であり、図４および図５に示すように、電気二重層キャパシタ１１、１２の配置方向に沿うように配置されている。すなわち、第２仕切板２２は、第１仕切板２１と交差する。また、第２仕切板２２の周囲は、第１仕切板２１および外枠２３により囲繞されている。
【００３０】
さらに、図４、図５、および図７に示すように、第２仕切板２２には、凹部２２ａ、２２ｂが形成されており、電気二重層キャパシタ１１は凹部２２ａに、電気二重層キャパシタ１２は凹部２２ｂに、それぞれ収容可能とされている。
【００３１】
第１回路基板３０は、平板状とされており、例えばプリント基板により構成されている。すなわち、第１回路基板３０上には、第１出力端子６０および電子部品（図示省略）が取り付けられるとともに、各電子部品および第１出力端子６０を接続するための配線が形成されている。
【００３２】
本実施の形態では、第１回路基板３０は、電池ユニット１０から第１出力端子６０（図１参照）を介して蓄電装置１の外部に供給される電力を制御する。図８および図９に示すように、第１回路基板３０は、第１仕切板２１に形成された凹部２１ａに収容されている。
【００３３】
一対の第１導通部４０（４１、４２）は、図４から図８に示すように、平板電極１１ｂ、１２ｃと、第１回路基板３０上に形成されたプラス側およびマイナス側接続部３１、３２のうちの対応するものと、をそれぞれ電気的に接続する。ここで、第１導通部４１、４２のそれぞれは、同様の構造を有するため、以下では、第１導通部４１の構造についてのみ説明する。
【００３４】
第１導通部４１は、例えば、金属などの導電性材料で形成されたボルトおよびナットによって構成される。図６に示すように、第１導通部４１は、主として、頭部４５と、第１挿入部４７と、第１押圧部４８と、を有している。
【００３５】
第１挿入部４７は、頭部４５の平坦面４６から突出する棒状体である。図６に示すように、第１挿入部４７の外周には、第１雄ねじ４７ａが形成されている。第１押圧部４８は、いわゆるナットにより構成されており、第１挿入部４７の第１雄ねじ４７ａとねじ締結可能とされている。
【００３６】
ここで、頭部４５のサイズによっては、接触面積を確保するため、第１回路基板３０上の接続部３１、３２のそれぞれと、頭部４５と、の間にワッシャー４５ａ（図６中の一点鎖線）やスプリングワッシャー（図示省略）が配置されても良い。また、頭部４５の形状は、ワッシャーヘッド状（すなわち、頭部４５およびワッシャー４５ａが一体的に構成されたもの）とされても良い。
【００３７】
また、第１押圧部４８のサイズによっては、接触面積を確保するため、第１押圧部４８に加えてワッシャー４８ａやスプリングワッシャー（図示省略）が用いられても良い。さらに、第１押圧部４８としては、フランジ付きナット（すなわち、第１押圧部４８およびワッシャー４８ａが一体的に構成されたもの）が用いられても良い。
【００３８】
そして、図４から図６、図８、および図９に示すように、第１導通部４１の第１挿入部４７が、
（１）第１回路基板３０に形成された対応の上側貫通孔３５（第１貫通孔）（図８参照）と、
（２）第１仕切板２１に形成された対応の上側貫通孔２６（第２貫通孔）（図９参照）と、
（３）平板電極１１ｂの対向部１１ｄに形成された貫通孔１３（第３貫通孔）（図４参照）と、
に挿入されつつ  第１挿入部４７および第１押圧部４８がねじ締結される。
【００３９】
これにより、第１導通部４１における頭部４５および第１押圧部４８の間に、第１回路基板３０と、第１仕切板２１と、平板電極１１ｂの対向部１１ｄとが、この順番に挟み込まれる。そして、第１回路基板３０上に形成されたプラス側接続部３１は頭部４５からの押圧力を、平板電極１１ｂは第１押圧部４８からの押圧力を、それぞれ受ける。
【００４０】
そのため、平板電極１１ｂと、第１回路基板３０上のプラス側接続部３１と、が電気的に接続され、第１導通部４１と平板電極１１ｂとの間の接触抵抗、第１導通部４１とプラス側接続部３１との間の接触抵抗、のそれぞれが低下させられる。
【００４１】
また、図４、図８、および図９に示すように、第１導通部４２の第１挿入部が、
（１）第１回路基板３０に形成された対応の下側貫通孔３５（第１貫通孔）（図８参照）と、
（２）第１仕切板２１に形成された対応の下側貫通孔２６（第２貫通孔）（図９参照）と、
（３）平板電極１２ｃの対向部１２ｄに形成された貫通孔１３（第３貫通孔）（図４参照）と、
に挿入されつつ  第１挿入部４７および第１押圧部４８がねじ締結される。
【００４２】
これにより、第１導通部４２における頭部４５および第１押圧部の間に、第１回路基板３０と、第１仕切板２１と、平板電極１２ｃの対向部１２ｄとが、この順番に挟み込まれる。そして、第１回路基板３０上に形成されたマイナス側接続部３２は頭部４５からの押圧力を、平板電極１２ｃは第１押圧部４８からの押圧力を、それぞれ受ける。
【００４３】
そのため、平板電極１１ｂと、第１回路基板３０上のマイナス側接続部３２と、が電気的に接続され、第１導通部４２と平板電極１２ｃとの間の接触抵抗、第１導通部４２とマイナス側接続部３２との間の接触抵抗、のそれぞれが低下させられる。
【００４４】
第３導通部２８は、第１導通部４１と同様に、例えば金属などの導電性材料で形成されたボルトおよびナットによって構成される。図７に示すように、第３導通部２８は、主として、頭部２８ａと、第３挿入部２８ｂと、第３押圧部２８ｃと、を有している。
【００４５】
第３挿入部２８ｂは、第１挿入部４７と同様に、頭部２８ａの平坦面２８ｄから突出する棒状体である。図７に示すように、第３挿入部２８ｂの外周には、第３雄ねじ２８ｅが形成されている。第３押圧部２８ｃは、第１押圧部４８と同様に、いわゆるナットにより構成されており、第３挿入部２８ｂの第３雄ねじ２８ｅとねじ締結可能とされている。
【００４６】
ここで、頭部２８ａのサイズによっては、接触面積を確保するため、電気二重層キャパシタ１１の平板電極１１ｃと、頭部２８ａと、の間にワッシャー２８ｆ（図７中の一点鎖線）やスプリングワッシャー（図示省略）が配置されても良い。また、頭部２８ａの形状は、ワッシャーヘッド状（すなわち、頭部２８ａおよびワッシャー２８ｆが一体的に構成されたもの）とされても良い。
【００４７】
また、第３押圧部２８ｃのサイズによっては、接触面積を確保するため、第３押圧部２８ｃに加えてワッシャー２８ｇやスプリングワッシャー（図示省略）が用いられても良い。さらに、第１押圧部４８としては、フランジ付きナット（すなわち、第３押圧部２８ｃおよびワッシャー２８ｇが一体的に構成されたもの）が用いられても良い。
【００４８】
そして、図７に示すように、第３導通部２８の第３挿入部２８ｂが、
（１）平板電極１１ｃに形成された貫通孔１４と、
（２）取付部２０の第２仕切板２２に形成された貫通孔２２ｃと、
（３）平板電極１２ｂに形成された貫通孔１５と、
に挿入されつつ  第３挿入部２８ｂおよび第３押圧部２８ｃがねじ締結される。
【００４９】
これにより、第３導通部２８における頭部２８ａおよび第３押圧部２８ｃの間に、平板電極１１ｃと、第２仕切板２２と、平板電極１２ｂとが、この順番に挟み込まれる。そして、平板電極１１ｃは頭部２８ａからの押圧力を、平板電極１２ｂは第３押圧部２８ｃからの押圧力を、それぞれ受ける。
【００５０】
そのため、マイナス側の平板電極１１ｃと、プラス側の平板電極１２ｂと、が電気的に接続され、第３導通部２８と平板電極１１ｃとの間の接触抵抗、第３導通部２８と平板電極１２ｂとの間の接触抵抗、のそれぞれが低下させられる。
【００５１】
このように、一対の第１導通部４０（４１、４２）および第３導通部２８を用いることによって、第１回路基板３０上の各素子は、電池ユニット１０から電力供給を受けることが可能になる。
【００５２】
すなわち、電池ユニット１０において、電気二重層キャパシタ１１、１２は直列接続されている。そのため、電池ユニット１０全体として見た場合、平板電極１１ｂが電池ユニット１０のプラス側電極として、平板電極１２ｃが電池ユニット１０のマイナス側電極として、それぞれ機能する。すなわち、平板電極１１ｂ、１２ｃは、電池ユニット１０の一対の平板電極としても用いられる。
【００５３】
外部端子５０は、例えば、蓄電装置１の外部に設けられた外部機器（例えば、電池ユニット１０に充電するための装置）の一対の接続端子７１（７２、７３）（図１参照）と、電池ユニット１０と、を電気的に接続するための端子である。図３から図５に示すように、外部端子５０は、主として、一対の接続金具５１（５１ａ、５１ｂ）と、一対の第２導通部５２（５２ａ、５２ｂ）と、一対のカバー部５３（５３ａ、５３ｂ）と、を有している。
【００５４】
一対の接続金具５１（５１ａ、５１ｂ）は、プラス側接続端子７２およびマイナス側接続端子７３のいずれかと電気的に接続可能とされている。より具体的には、図１および図２に示すように、接続金具５１ａはプラス側接続端子７２と、接続金具５１ｂはマイナス側接続端子７３と、それぞれ導通可能とされている。
【００５５】
一対の第２導通部５２（５２ａ、５２ｂ）のそれぞれは、対応する接続金具５１ａ、５１ｂと電気的に接続されている。より具体的には、第２導通部５２ａは接続金具５１ａと、第２導通部５２ｂは接続金具５１ｂと、それぞれ導通可能とされている。
【００５６】
ここで、一対の第２導通部５２（５２ａ、５２ｂ）のそれぞれは、同様の構造を有するため、以下では、第２導通部５２ａの構造についてのみ説明する。図６に示すように、第２導通部５２ａは、主として、第２挿入部５５と、第２押圧部５７と、を有している。
【００５７】
第２挿入部５５は、対応する接続金具５１ａ、５１ｂの端部から電池ユニット１０側に突出する棒状体である。図６に示すように、第２挿入部５５の外周には、第２雄ねじ５５ａが形成されている。第２押圧部５７は、第１押圧部４８および第３押圧部２８ｃと同様に、いわゆるナットにより構成されており、第２挿入部５５の第２雄ねじ５５ａとねじ締結可能とされている。
【００５８】
ここで、第２押圧部５７のサイズによっては、接触面積を確保するため、第２押圧部５７に加えてワッシャーやスプリングワッシャー（いずれも図示省略）が用いられても良い。また、第２押圧部５７としては、フランジ付きナットが用いられても良い。
【００５９】
一対のカバー部５３（５３ａ、５３ｂ）のそれぞれは、対応する接続金具５１ａ、５１ｂを覆うことによって、一対の接続金具５１（５１ａ、５１ｂ）および一対の第２導通部５２（５２ａ、５２ｂ）のうちの対応するものと、第１回路基板３０と、を絶縁する。
【００６０】
より具体的には、カバー部５３ａは、接続金具５１ａを覆うことによって、接続金具５１ａおよび第２導通部５２ａのそれぞれと、第１回路基板３０と、を絶縁する。また、カバー部５３ｂは、接続金具５１ｂを覆うことによって、接続金具５１ｂおよび第２導通部５２ｂのそれぞれと、第１回路基板３０と、を絶縁する。
【００６１】
そして、図４から図６、図８、および図９に示すように、カバー部５３ａが第１回路基板３０に形成された上側貫通孔３６（第４貫通孔）（図８参照）に挿入され、カバー部５３ａが第１仕切板２１に突き当てられた上で、第２導通部５２ａの第２挿入部５５が、
（１）第１仕切板２１に形成された上側貫通孔２７（第５貫通孔）（図８参照）と、
（２）平板電極１１ｂの対向部１１ｄに形成された貫通孔１６（第６貫通孔）（図４参照）と、
に挿入されつつ  第２挿入部５５および第２押圧部５７がねじ締結される。
【００６２】
これにより、第１仕切板２１および第２押圧部５７の間に平板電極１１ｂの対向部１１ｄが挟み込まれ、平板電極１１ｂが第２押圧部５７から押圧力を受ける。そのため、第２導通部５２ａと、平板電極１１ｂと、が電気的に接続され、第２導通部５２ａと平板電極１１ｂとの間の接触抵抗が低下させられる。
【００６３】
また、図４、図８、および図９に示すように、カバー部５３ｂが第１回路基板３０に形成された下側貫通孔３６（第４貫通孔）（図８参照）に挿入され、カバー部５３ｂが第１仕切板２１に突き当てられた上で、第２導通部５２ｂの第２挿入部５５が、
（１）第１仕切板２１に形成された下側貫通孔２７（第５貫通孔）（図８参照）と、
（２）平板電極１２ｃの対向部１２ｄに形成された貫通孔１６（第６貫通孔）（図４参照）と、
に挿入されつつ  第２挿入部５５および第２押圧部５７がねじ締結される。
【００６４】
これにより、第１仕切板２１および第２押圧部５７の間に平板電極１２ｃの対向部１２ｄが挟み込まれ、平板電極１２ｃが第２押圧部５７からの押圧力を受ける。そのため、第２導通部５２ｂと、平板電極１２ｃと、が電気的に接続され、第２導通部５２ｂと平板電極１２ｃとの間の接触抵抗が低下させられる。
【００６５】
第１出力端子６０は、例えばＵＳＢ（Universal Serial Bus）コネクタにより構成されており、第１回路基板３０により制御された電力を外部に出力する。第１出力端子６０は、第１回路基板３０に設けられており、第１回路基板３０上に形成された配線（図示省略）と電気的に接続されている。
【００６６】
＜１．３．第１の実施の形態の蓄電装置の利点＞
以上のように、第１の実施の形態の蓄電装置１において、一対の第１導通部４０（４１、４２）および一対の第２導通部５２（５２ａ、５２ｂ）を用いたねじ締結により、
（１）取付部２０に対して第１回路基板３０を固定すること、
（２）平板電極１１ｂ、１２ｃのそれぞれと、外部端子５０と、を導通させること、
（３）平板電極１１ｂ、１２ｃのそれぞれと、第１回路基板３０と、を導通させること、
のいずれも実現できる。
【００６７】
すなわち、
（Ａ）第１導通部４１および平板電極１１ｂの間の接触抵抗、
（Ｂ）第１導通部４２および平板電極１２ｃの間の接触抵抗、
（Ｃ）第１導通部４１およびプラス側接続部３１の間の接触抵抗、
（Ｄ）第１導通部４２およびマイナス側接続部３２の間の接触抵抗、
（Ｅ）第２導通部５２ａおよび平板電極１１ｂの間の接触抵抗、および、
（Ｆ）第２導通部５２ｂおよび平板電極１２ｃの間の接触抵抗、
のそれぞれを低下させることができ、良好な導通を確保できる。また、第１回路基板３０および電気二重層キャパシタ１１、１２を取付部２０に固定するための部品点数を低減させることができる。
【００６８】
そのため、電池ユニット１０の充電時のように外部端子５０と、平板電極１１ｂ、１２ｃとの間に大電流が流れる場合であっても、接触抵抗に起因した発熱により外部端子５０および平板電極１１ｂ、１２ｃが破損することを防止しつつ、蓄電装置１の部品および製造のためのコストを低減させることができる。
【００６９】
また、取付部２０の第１仕切板２１を挟んで平板電極１１ａ、１２ｂと第１回路基板３０とを隣接して配置しつつ、平板電極１１ａ、１２ｂのそれぞれと、第１回路基板３０と、を導通させることができる。そのため、装置サイズの小型化を図ることができる。
【００７０】
＜２．第２の実施の形態＞
次に、本発明の第２の実施の形態について説明する。第１および第２の実施の形態の蓄電装置１、１００は、拡張ユニット８０の有無を除いては、同様な構成を有する。そこで、以下では、この相違点を中心に説明する。
【００７１】
なお、蓄電装置１、１００で同様な構成要素には、同一符号が付されており、この同一符号が付された構成要素は、第１の実施の形態で説明済みである。そのため、本実施の形態では説明を省略する。
【００７２】
＜２．１．蓄電装置の構成＞
図１０および図１１は、それぞれ蓄電装置１００の構成の一例を示す正面斜視図および背面斜視図である。図１０および図１１に示すように、蓄電装置１００は、外観上、本体部５と、制御部６と、拡張ユニット７０と、に別れている。すなわち、蓄電装置１００は、第１の実施の形態の蓄電装置１に加えて、拡張ユニット７０をさらに備えるものである。
【００７３】
拡張ユニット７０は、外部端子５０を介して本体部５の電池ユニット１０と電気的に接続されている。図１０および図１１に示すように、拡張ユニット７０は、主として、一対の接続端子７１（７２、７３）と、複数（本実施の形態では１０個）の第２出力端子７５と、第２回路基板７６と、を有している。
【００７４】
一対の接続端子７１（７２、７３）は、外部端子５０と対応するものであり、各々が、外部端子５０に含まれる一対の接続金具５１（５１ａ、５１ｂ）のいずれかと電気的に接続可能とされている。
【００７５】
第２回路基板７６は、第１回路基板３０と同様に、平板状とされており、例えばプリント基板により構成されている。すなわち、第２回路基板７６上には、第２出力端子７５および電子部品（図示省略）が取り付けられるとともに、各電子部品および第２出力端子７５を接続するための配線が形成されている。本実施の形態において、第２回路基板７６は、電池ユニット１０から外部端子５０および第２出力端子７５を介して蓄電装置１００の外部に供給される電力を制御する。
【００７６】
各第２出力端子７５は、第１出力端子６０と同様に、例えばＵＳＢコネクタにより構成されている。各第２出力端子７５は、第２回路基板７６により制御された電力を外部に出力する。各第２出力端子７５は、第２回路基板７６に設けられており、第２回路基板７６上に形成された配線（図示省略）と電気的に接続されている。
【００７７】
図１２は、蓄電装置１００の使用状況を説明するための正面斜視図である。蓄電装置１００の各第２出力端子７５は、収納ラック８０に収納された各充電対象物８３（例えば、スマートフォンやタブレット端末等の携帯端末）と接続され、これら充電対象物８３の充電に使用されても良い。
【００７８】
＜２．２．第２の実施の形態の蓄電装置の利点＞
以上のように、第２の実施の形態の蓄電装置１００は、複数の第２出力端子７５を有している。そのため、これら第２出力端子７５を用いることによって、電池ユニット１０から供給され、第２回路基板７６で制御された電力を、複数の機器に供給することができる。
【００７９】
＜３．変形例＞
以上、本発明の実施の形態について説明してきたが、本発明は上記実施の形態に限定されるものではなく様々な変形が可能である。
【００８０】
（１）第１の実施の形態において、第１回路基板３０には、単一（１個）の第１出力端子６０が設けられているものとして説明したが、これに限定されるものでない。例えば、第１回路基板３０には、複数（２以上）の第１出力端子６０が設けられても良い。
【００８１】
（２）また、第２の実施の形態において、拡張ユニット７０には、１０個の第２出力端子７５が設けられているものとして説明したが、これに限定されるものでない。例えば、拡張ユニット７０に設けられる第２出力端子７５の個数は、１個であっても良いし、２個以上の複数であっても良い。すなわち、第２出力端子７５の個数は、１０個に限定されるものでない。
【００８２】
（３）また、第１および第２の実施の形態において、電池ユニット１０は、２個の電気二重層キャパシタ１１、１２を有するものとして説明したが、これに限定されるものでない。電池ユニット１０全体として見た場合におけるプラス側電極（第１および第２の実施の形態では平板電極１１ｂが対応）およびマイナス側電極（第１および第２の実施の形態では平板電極１２ｃが対応）のそれぞれに、第１仕切板２１に沿って配置された対向部が設けられていれば良い。
【００８３】
したがって、電池ユニット１０に含まれる電気二重層キャパシタの個数は、１個であっても良いし、３以上の複数であっても良い。すなわち、電池ユニット１０は、少なくとも１つの電気二重層キャパシタを有すれば十分である。
【００８４】
（４）また、第１および第２の実施の形態において、一対のカバー部５３（５３ａ、５３ｂ）は、対応する一対の接続金具５１（５１ａ、５１ｂ）を覆うものとして説明したが、これに限定されるものでない。一対のカバー部５３（５３ａ、５３ｂ）は、対応する一対の接続金具５１（５１ａ、５１ｂ）に加えて、対応する一対の第２導通部５２（５２ａ、５２ｂ）を覆うように形成されても良い。すなわち、一対のカバー部５３（５３ａ、５３ｂ）は、少なくとも対応する接続金具５１ａ、５１ｂを覆うように形成されていれば十分である。
【００８５】
（５）また、第１および第２の実施の形態において、一対の接続金具５１（５１ａ、５１ｂ）と対応する第２導通部５２ａ、５２ｂは、別体に設けられているものとして説明したが、これに限定されるものでない。例えば、接続金具５１ａおよび第２導通部５２ａは、一体的に構成されても良い。また同様に、接続金具５１ｂおよび第２導通部５２ｂも、一体的に構成されても良い。
【００８６】
（６）さらに、第１および第２の実施の形態の電気二重層キャパシタ１１、１２、および取付部２０のそれぞれには、滑り止めが施されても良い。図１３および図１４のそれぞれは、取付部２０付近の構成の他の一例を示す正面斜視図である。
【００８７】
図１３に示すように、電気二重層キャパシタ１１の蓄電部１１ａおよび電気二重層キャパシタ１２の蓄電部１２ａには、例えば配置方向（矢印ＡＲ１方向）と交差（より具体的には直交）する方向に延びる防滑部１７が設けられても良い。また、図１４に示すように、第２仕切板２２の凹部２２ａ、２２ｂのそれぞれには、例えば配置方向（矢印ＡＲ１方向）に延びる防滑部２９が設けられても良い。
【符号の説明】
【００８８】
１、１００  蓄電装置
５  本体部
６  制御部
１０  電池ユニット
１１、１２  電気二重層キャパシタ
１１ｂ、１１ｃ、１２ｂ、１２ｃ  平板電極
１１ｄ、１２ｄ  対向部
１３  貫通孔（第３貫通孔）
１６  貫通孔（第６貫通孔）
２０  取付部
２１  第１仕切板
２６  貫通孔（第２貫通孔）
２７  貫通孔（第５貫通孔）
３０  回路基板
３１  プラス側接続部
３２  マイナス側接続部
３５  貫通孔（第１貫通孔）
３６  貫通孔（第４貫通孔）
４０  一対の第１導通部
４１、４２  第１導通部
４５  頭部
４６  平坦面
４７  第１挿入部
４７ａ  第１雄ねじ
４８  第１押圧部
５０  外部端子
５１  一対の接続金具
５１ａ、５１ｂ  接続金具
５２  一対の第２導通部
５２ａ、５２ｂ  第２導通部
５３  一対のカバー部
５３ａ、５３ｂ  カバー部
５５  第２挿入部
５５ａ  第２雄ねじ
５７  第２押圧部
６０  第１出力端子
７０  拡張ユニット
７１  一対の接続端子
７２  プラス側接続端子
７３  マイナス側接続端子
７５  第２出力端子
７６  第２回路基板
【図１】
2019096830.tif 000003
【図２】
2019096830.tif 000004
【図３】
2019096830.tif 000005
【図４】
2019096830.tif 000006
【図５】
2019096830.tif 000007
【図６】
2019096830.tif 000008
【図７】
2019096830.tif 000009
【図８】
2019096830.tif 000010
【図９】
2019096830.tif 000011
【図１０】
2019096830.tif 000012
【図１１】
2019096830.tif 000013
【図１２】
2019096830.tif 000014
【図１３】
2019096830.tif 000015
【図１４】
2019096830.tif 000016